(57)【要約】【課題】  従来の足場は、簡素な構造である反面、低い高さでしか使用できなかったり、数ｍ以上の高さで使用できる反面、部材が多く組立の工数も掛かったりするものであった。【解決手段】  本発明は、一般低層住宅に焦点を絞り、その構造上の特徴を利用することで前記の課題を解決した。則ち、＜１＞窓枠又は窓枠脇の家屋の柱への腕木による補強によって、単一面の部分的な仮設構造物を構築可能とした。また、＜２＞梯子桟を備えた仮設の柱と、水平以上に回動する壁足場の構造とによって、家屋の壁と仮設の柱との間を通路とし、仮設の柱に掛かる回転モーメントが内向きになることを利用して、一側足場であっても転倒しにくくなった。また、同＜２＞によって、梯子のケージを省いた。これらの構造によって、一度に必要な部材の数量を抑えることができ、手配時の低価格化、構築時の省時間化、収納時の省空間化の効果が得られる。【選択図】      図２
2006037689.tif 000002
【特許請求の範囲】
【請求項１】
家屋の窓枠に取り付けるための腕木と、梯子桟を備えた柱と、水平以上９０°程度までの垂直角度の範囲で回動する足場とを有する一般家屋保守用仮設機材。
【請求項２】
基礎が主基礎と副基礎とから成り、主基礎と副基礎を合わせて使用する場合は柱から副基礎へ、主基礎のみで使用する場合は柱から隣家との境界壁等へ方杖を当てることを特徴とする請求項１の一般家屋保守用仮設機材。
【請求項３】
１．５ｍ程度の長さの定形化された柱を、屋根の高さに合わせて複数段重ねて使用することを特徴とする請求項１の一般家屋保守用仮設機材。
【請求項４】
一方の柱の凹と他方の柱の凸とが噛み合い、更にこれらの上からねじ込み式のキャップで締め付けることを特徴とする請求項３の一般家屋保守用仮設機材。
【発明の詳細な説明】
【技術分野】
【０００１】  本発明は、一般家屋の壁及び屋根を、鳶職でない者が安全に保守するための足場、手摺及び梯子等の仮設機材に関するものである。
【背景技術】
【０００２】  従来より、梯子、脚立、踏台、足場台等、簡易な高所作業用の単品器具が、業務用、家庭用を問わず販売されている（背景技術１）。また、高層建築を始めとする大掛りな高所作業用には、建築物の形状や作業内容など個別の事情に照らして使用者が組み立てることを前提に、建枠、足場板、手摺、階段、筋交、方杖等の仮設機材が、業務用として販売、賃貸されている（背景技術２）。【０００３】  構造が簡素で、かつ狭小地で利用できる足場を提供する技術として、敷地内側からの支持パイプによって一側足場を支えるもの（特許文献１）（背景技術３）、複数の梯子に足場板を架設するもの（例えば、特許文献２、特許文献３）（背景技術４）等がある。
【特許文献１】実登２５９０６０２
【特許文献２】特開平６−２７２３６８
【特許文献３】特開２００２−１５５６８８
【発明の開示】
【発明が解決しようとする課題】
【０００４】  背景技術１は、比較的小規模な作業に用いられる技術である。例えば、梯子や脚立は、５ｍ程度までの垂直作業ができる反面、幅が限られていたり不安定である等の理由によって水平作業には適さない。一方、踏台や足場台は、足場が確保されて２ｍ程度の水平作業ができる反面、３ｍ程度の垂直作業しかできない。【０００５】  背景技術２は、対象建築物を取り囲むように、地面に建枠を定間隔に立設し、これらの建枠に垂直方向に数段の足場板を取り付け、これらの足場板によって形成される各階に手摺を取り付け、各階は階段で繋ぐ、といった仮設構造物を提供する。これは、水平方向と垂直方向の広範に渡って安全な作業を可能とし、確かに背景技術１の課題を解決する。【０００６】  しかし、背景技術２は、対象建築物を取り囲むように設置する必要上、一度に必要な部材が多過ぎたり、汎用的な部品を組み立てて使用するため工数が掛かり過ぎる等の理由によって、一戸建て住宅や低層集合住宅に居住する者、又は管理する者が、自ら家屋の外壁や屋根を保守しようとしても容易に利用できる技術ではない。【０００７】  背景技術３は、狭小地にも設置できる仮設構造物である一側足場に関するものであり、この技術によれば、対象建築物を複数の面で取り囲まずとも、単一面で多階層の安定した足場を得ることができる。しかし、敷地内側から支持パイプを張り出す構造は、新築を想定したものであり、前述のような既存の家屋の保守を考慮したものではない。【０００８】  背景技術４は、水平方向と垂直方向のある程度の範囲に渡る足場を、簡素な構造で実現し、かつ既存の構造物の保守にも利用できる技術である。しかし、立て掛けられただけの梯子を基礎とする構造上、５ｍ程度の高所での作業には不安が残る。まして屋根での作業を想定したものではない。
【課題を解決するための手段】
【０００９】  本発明は、一戸建て住宅や低層集合住宅に焦点を絞り、その構造上の特徴を利用することで前記の課題を解決した。則ち、＜１＞窓枠又は窓枠脇の家屋の柱への腕木による補強によって、１ユニットの柱間隔が最大２ｍ程度の幅に限った単一面の部分的な仮設構造物を構築可能とした。また、＜２＞梯子桟を備えた仮設の柱と、水平以上に回動する壁足場の構造とによって、本仮設構造物の内側、則ち家屋の軒又は庇の下、家屋の壁と仮設の柱との間を通路とし、仮設の柱に掛かる回転モーメントが内向きになることを利用して、本仮設構造物を壁当てにても支持することによって、一側足場であっても転倒しにくくなった。また、同＜２＞によって、家屋の壁を背にして梯子を昇降することとなるため、梯子のケージを省いた。
【発明の効果】
【００１０】  これらの構造によって、一度に必要な部材の数量を抑えることができ、ひいては、手配時の低価格化、構築時の省時間化、収納時の省空間化の効果が得られる。
【発明を実施するための最良の形態】
【００１１】  以下、図面を参照しつつ部分ごとに説明する。なお、本発明の仮設機材キットは、収納時は分解された部材群であって、使用時に組み立てられて高所作業に用いられる。【００１２】  基礎ａは、図５のように、本仮設構造の最下部、接地面に位置する部材であって、基礎Ａａ１、基礎Ｂａ２から成る。水準器を内蔵しても良い。基礎Ａａ１は、隣家との境界壁が迫っているなど設置場所が十分に確保できない場合に単独で用いる主基礎であって、壁当てｊが一端に摺動可能に付設され、柱座ａ３が上面に固設されている。基礎Ｂａ２は、設置場所が十分に確保できる場合に基礎Ａａ１に接続して用いる副基礎であって、方杖座ａ４が上面に固設されている。柱座ａ３は、柱ｂを受ける部材であって、噛み合い機構Ａｉ１を持つ。方杖座ａ４は、方杖Ａｃ１１を受ける部材である。【００１３】  壁当てｊは、図６、図７のように、長さが調節されることによって家屋の外壁面等から本架設構造物までの距離を一定に保ち、本仮設構造物を安定させる部材であって、壁当て部ｊ１、枝柱ｊ２、枝柱受けｊ３、枝柱留めｊ４から成る。枝柱受けｊ３と枝柱留めｊ４は、基礎ａ又は壁足場ｆに固定されていて、壁当て部ｊ１を先端に備えた枝柱ｊ２は、枝柱受けｊ３に沿って摺動し、枝柱留めｊ４によって押止される。なお、枝柱ｊ２を金属製とし、枝柱留めｊ４の内面に曲成されたゴム磁石を糊着することで、押止の強度を強めても良い。または、枝柱ｊ２に雄ねじ、枝柱留めｊ４に雌ねじを切って、これらを螺合させることによって長さの調整と保持をさせても良い。【００１４】  柱ｂは、図８のように、単純柱ｂ１と梯子柱ｂ２とがあり、何れも、容易に取り扱える１．５ｍ程度の長さの管材又は棒材であって、滑車ｂ５と噛み合い機構Ａｉ１が上端に、噛み合い機構Ｂｉ２が下端に備わる。これに加え、梯子柱ｂ２は、数段の梯子桟ｂ３が挿設されている。梯子桟ｂ３は、梯子柱ｂ２の長手方向に複数本が等間隔で挿設され、これらの端々を縁板ｂ４が連接する。なお、梯子桟ｂ３の長さは、梯子柱ｂ２に対して左右対称であることが望ましい。【００１５】  噛み合い機構ｉは、図９のように、噛み合い機構Ａｉ１と噛み合い機構Ｂｉ２とが噛み合うことによって互いの回動を防ぐと共に、噛み合い機構Ｂｉ２側に環装されたキャップｉ３のテーパー雌ねじ部が、噛み合い機構Ｂｉ２を挟んで噛み合い機構Ａｉ１のテーパー雄ねじ部と螺着、緊止することによって、噛み合い部のぐらつきによる柱の傾きを防止しつつ、滑落を防ぐ機構である。ちなみに、噛み合い機構Ａｉ１は、単純柱ｂ１、梯子柱ｂ２、柱座ａ３、及び柱座ｈ４に備わり、噛み合い機構Ｂｉ２は、単純柱ｂ１、梯子柱ｂ２、及び柵柱ｇ１に備わる。【００１６】  方杖ｃは、図１２、図１３のように、柱ｂの転倒や湾曲を抑える管材又は棒材である。方杖Ａｃ１１は、一端を留め具ｃ１３を介して柱ｂに取り付け、他端を方杖座ａ４に接続する斜材である。方杖Ｂｃ２１は、一端を留め具を介して柱ｂに取り付け、他端の壁当て部ｃ２２で隣家との境界壁を挟む水平材又は斜材である。あるいは、壁当てｊから派生する部材であって、２組の壁当てｊが枝柱受けｊ３を共有して互いに逆向きに構成されて成る方杖を、その中央で留め具を介して柱ｂに取り付け、一端を壁当て部ｊ１を介して家屋の壁に、他端をもう一つの壁当て部ｊ１を介して境界壁にそれぞれ押し当てる形態も考えられる。【００１７】  腕木ｅは、図１４、図１５、図１６、図１７のように、家屋の窓枠から本仮設構造物への補強材であって、腕木ｅ１１・ｅ２１と枠留めｅ１２・ｅ２２から成る。柱ｂが窓枠の正面に取り付く場合は、窓枠から枠留めｅ１２を介して腕木ｅ１１を真っ直ぐ延ばし、留め具を介して柱ｂと接続する。それ以外の場合は、近くの窓枠から枠留めｅ２２を介して腕木ｅ２１を２本以上組み合わせて延ばし、留め具を介して柱ｂと接続する。あるいは、窓を少し開け、窓枠脇の家屋の柱を、外壁と内壁の両面から挟むように固定する形態の枠留めも考えられる。この形態では窓を開けねばならないが、上記２例より安定する。【００１８】  壁足場ｆは、図１８、図１９、図２０のように、壁での作業のための足場であり、また昇降の際の踊り場であって、足場板ｆ１、足場受け座ｆ２、足場受けｆ３から成る。足場板ｆ１は、長方形の板材、または板様の複合材である。足場受け座ｆ２は、柱ｂ上の任意の高さに足場受けｆ３を蝶着する部材であって、柱ｂと水平状態の足場受けｆ３とが互いに芯で当たるための案内板を備えることが望ましい。足場受けｆ３は、壁当てｊから派生する部材であって、枝柱受けｊ３の壁側端面に固定具座ｆ４持ちを、これと対向するように枝柱受けｊ４の端面に固定具ｆ５を持つ。足場受けｆ３全体としては、足場受け座ｆ２を介して柱ｂに、水平以上９０°程度までの垂直角度で回動可能に蝶着される。【００１９】  柵ｇは、図２２のように、屋根からの人の転落を防ぐ部材であって、柵柱ｇ１、桟ｇ２、張り出しｇ３から成る。柵柱ｇ１は、１ｍ程度の長さの管材又は棒材であって、噛み合い機構Ｂｉ２が下端に備わる。桟ｇ２は、複数の柵柱ｇ１に、同数の留め具を介して直角に取り付く。張り出しｇ３は、この桟ｇ２の両端に、留め具を介して、屋根の内方に向かって４５°程度の水平角度をもって取り付く。【００２０】  屋根足場ｈは、図２３のように、屋根での作業のための足場であって、垂木ｈ１、垂木座ｈ２、斜材ｈ３、柱座ｈ４、足場受けｈ５、桟ｇ２、足場板ｆ１から成る。垂木ｈ１は、屋根の上に桟ｇ２及び足場板ｆ１を設置するための枕木として、１ｍから４ｍ程度の長さの管材又は棒材であって、長さに応じて複数個の緩衝体ｈ６が下面に定間隔に軸着されている。垂木座ｈ２は、垂木ｈ１を受ける部材であって、柵柱ｇ１に沿って摺動し高さを調節すると共に、軸を介して柵柱ｇ１と垂木ｈ１との角度を調節する。斜材ｈ３は、一端が柵柱ｇ１又は柱ｂを支持し、他端が垂木ｈ１を支持して、柵柱ｇ１又は柱ｂと垂木ｈ１との角度を固定する。柱座ｈ４は、垂木ｈ１の上に、柱ｂ又は足場受けｈ５を立てるための部材であって、垂木ｈ１に沿って摺動する管に軸着され、噛み合い機構Ａｉ１を持つ。足場受けｈ５は、柱座ｈ４に立って足場板ｆ１を固定する。緩衝体ｈ６は、図２８のように、周縁からの距離が等しくない点に垂木ｈ１によって軸通されていて、回転調節されることによって垂木ｈ１と屋根との距離を埋め、また屋根への衝撃を緩衝する。桟ｇ２は複数の垂木ｈ１の間に架設し、足場板ｆ１は特に屋根が急勾配である場合に、足場受けｈ５によって各桟ｇ２に取り付ける。
【実施例】
【００２１】  以下、図２に沿って実施例を説明する。ここでは、２階建ての一戸建て住宅であって、設置場所が十分に広く、２階壁面が１階壁面より引っ込み、１階にも屋根があり、かつ１階と２階とに窓のある一角に、本仮設構造物を構築する場合を例にとって説明する。【００２２】  ＜１階の１段目＞  始めに、設置場所を確認し、壁当てｊの長さを調節しながら、壁当て部ｊ１が外壁に当たる方向で、基礎Ｂａ２と接続した基礎Ａａ１を１個地面に置く。梯子桟ｂ３が壁と平行する方向で梯子柱ｂ２を柱座ａ３に、方杖Ａｃ１１を方杖座ａ４に接続し、梯子柱ｂ２と方杖Ａｃ１１とを留め具ｃ１３で固定する。これらから２ｍ程度離して、同様に基礎Ａａ１、基礎Ｂａ２、単純柱ｂ１、方杖Ａｃ１１を組み立てる。必要なら両基礎ａの間隔を調節しながら、両柱ｂの間、地上に近い位置に桟ｇ２を平行に、もう一つの桟ｇ２はその上方で斜めに取り付ける。次に、両柱ｂの同じ高さにそれぞれ足場受け座ｆ２を介して足場受けｆ３を取り付け、足場板ｆ１を両足場受けｆ３に取り付ける。次に、１階のこの面の窓枠下辺に、枠留めｅ２２を介して腕木ｅ２１を取り付け、両柱ｂに接続する。強度を高めるため、腕木間に平面斜材を架設すると良い。【００２３】  ＜１階の２段目＞  続けて、１段目の単純柱ｂ１の上に別の単純柱ｂ１を、１段目の梯子柱ｂ２の上に別の梯子柱ｂ２をそれぞれ同じ要領で接続する。１段目の足場ｆ１上面から４５０ｍｍ位の位置に、桟ｇ２を水平に取り付ける。中桟の用を為す事を確認して、桟ｇ２を斜めに取り付けても良い。柱ｂ上端部から下へ、噛み合い部を避けて、桟ｇ２を水平に取り付ける。次に、１段目の足場に乗り、別の足場板ｆ１を、２個の足場受け座ｆ２と２個の足場受けｆ３を介して、２段目の両柱ｂに外向きで取り付ける。【００２４】  ＜１階の柵＞  続けて、２段目の足場に乗り、両柱ｂの上に柵柱ｇ１をそれぞれ同じ要領で接続する。両柵柱ｇ１の間に、軒から上方へ各３５０ｍｍ程度の間隔をおいて、２本、桟ｇ２を水平に取り付ける。この桟ｇ２の両端に、張り出しｇ３をそれぞれ取り付ける。垂木座ｈ２を介して、柵柱ｇ１に垂木ｈ１を取り付け、垂木ｈ１を屋根の勾配に合わせて、斜材ｈ３で固定する。次に、柵の桟の間をくぐって１階屋根に乗り、両垂木ｈ１の間に桟ｇ２を取り付ける。【００２５】  ＜２階の１段目、２段目、柵＞  １階の１段目と同様に、単純柱ｂ１及び梯子柱ｂ２を垂木ｈ１の柱座ｈ４に接続し、両柱ｂの間に、桟ｇ２を斜めに取り付ける。両柱ｂの同じ高さにそれぞれ足場受け座ｆ２を介して足場受けｆ３を取り付け、必要なら両基礎ａの間隔を調節しながら、足場板ｆ１を両足場受けｆ３に取り付ける。次に、２階のこの面の窓枠下辺に、枠留めｅ２２を介して腕木ｅ２１を取り付け、両柱ｂに接続する。以下、２段目と柵は、１階の２段目、１階の柵と同様に取り付ける。
【図面の簡単な説明】
【００２６】
【図１】    対象家屋及び本仮設構造物実施例の斜視図
【図２】    本仮設構造物実施例１の斜視図
【図３】    本仮設構造物実施例２の斜視図
【図４】    本仮設構造物実施例３の斜視図
【図５】    基礎の斜視図
【図６】    壁当ての詳細図
【図７】    壁当ての断面図
【図８】    柱の斜視図
【図９】    噛み合い機構の斜視図
【図１０】    滑車の斜視図
【図１１】    滑車の断面図
【図１２】    方杖Ａの斜視図
【図１３】    方杖Ｂの斜視図
【図１４】    窓枠及び腕木実施例１の斜視図
【図１５】    窓枠及び腕木実施例１の矢視図
【図１６】    窓枠及び腕木実施例２の斜視図
【図１７】    窓枠及び腕木実施例２の矢視図
【図１８】    足場受け使用時の斜視図
【図１９】    足場受け収納時の斜視図
【図２０】    足場受けの詳細図
【図２１】    足場受けの断面図
【図２２】    柵の斜視図
【図２３】    屋根足場の斜視図
【図２４】    柵柱及び垂木の斜視図
【図２５】    垂木及び柱座の斜視図
【図２６】    垂木、桟、柱座及び足場受けの斜視図
【図２７】    柱座及び足場受けの断面図
【図２８】    緩衝体の詳細図
【符号の説明】
【００２７】  ａ      基礎
ａ１    基礎Ａ
ａ２    基礎Ｂ
ａ３    柱座
ａ４    方杖座
ｂ      柱
ｂ１    単純柱
ｂ２    梯子柱
ｂ３    梯子桟
ｂ４    縁板
ｂ５    滑車
ｃ      方杖
ｃ１１  方杖Ａ
ｃ１３  留め具
ｃ２１  方杖Ｂ
ｃ２２  壁当て部
ｅ      腕木
ｅ１１、ｅ２１  腕木
ｅ１２、ｅ２２  枠留め
ｆ      壁足場
ｆ１    足場板
ｆ２    足場受け座
ｆ３    足場受け
ｆ４    固定具座
ｆ５    固定具
ｇ      柵
ｇ１    柵柱
ｇ２    桟
ｇ３    張り出し
ｈ      屋根足場
ｈ１    垂木
ｈ２    垂木座
ｈ３    斜材
ｈ４    柱座
ｈ５    足場受け
ｈ６    緩衝体
ｉ      噛み合い機構
ｉ１    噛み合い機構Ａ
ｉ２    噛み合い機構Ｂ
ｉ３    キャップ
ｊ      壁当て
ｊ１    壁当て部
ｊ２    枝柱
ｊ３    枝柱受け
ｊ４    枝柱留め
ｊ５    ヒンジボルト
ｊ６    蝶ナット
【図１】
2006037689.tif 000003
【図２】
2006037689.tif 000004
【図３】
2006037689.tif 000005
【図４】
2006037689.tif 000006
【図５】
2006037689.tif 000007
【図６】
2006037689.tif 000008
【図７】
2006037689.tif 000009
【図８】
2006037689.tif 000010
【図９】
2006037689.tif 000011
【図１０】
2006037689.tif 000012
【図１１】
2006037689.tif 000013
【図１２】
2006037689.tif 000014
【図１３】
2006037689.tif 000015
【図１４】
2006037689.tif 000016
【図１５】
2006037689.tif 000017
【図１６】
2006037689.tif 000018
【図１７】
2006037689.tif 000019
【図１８】
2006037689.tif 000020
【図１９】
2006037689.tif 000021
【図２０】
2006037689.tif 000022
【図２１】
2006037689.tif 000023
【図２２】
2006037689.tif 000024
【図２３】
2006037689.tif 000025
【図２４】
2006037689.tif 000026
【図２５】
2006037689.tif 000027
【図２６】
2006037689.tif 000028
【図２７】
2006037689.tif 000029
【図２８】
2006037689.tif 000030